(57)【要約】実施形態は、より具体的には、ただし排他的にではなく、制御プレーンアドレスの変換に基づいてユーザプレーンアドレスを提供する方法、装置及びコンピュータプログラムを提供する。ユーザプレーン通信チャネル（３２０）を介して少なくとも１つのモバイル送受信機（２００）と通信するように構成された少なくとも１つの移動通信システムインフラストラクチャエンティティ（１００）をさらに備える移動通信システム（３００）において少なくとも１つのモバイル送受信機（２００）にユーザプレーンアドレスを提供する方法であって、モバイル送受信機（２００）が制御プレーン通信チャネル（３１０）を介して制御される方法。方法は、少なくとも１つのモバイル送受信機（２００）についての制御プレーンアドレスを取得するステップ（１２）を備える。方法は、制御プレーンアドレスの別個の変換に基づいて、少なくとも１つのモバイル送受信機（２００）についてのユーザプレーンアドレスを特定するステップ（１４）をさらに備える。方法は、ユーザプレーンアドレスを供給するステップ（１６）をさらに備える。【選択図】  図１
2018532308.tif 000002
【特許請求の範囲】
【請求項１】
ユーザプレーン通信チャネル（３２０）を介して少なくとも１つのモバイル送受信機（２００）と通信するように構成された少なくとも１つの移動通信システムインフラストラクチャエンティティ（１００）をさらに備える移動通信システム（３００）において少なくとも１つのモバイル送受信機（２００）にユーザプレーンアドレスを提供する方法であって、前記モバイル送受信機（２００）が制御プレーン通信チャネル（３１０）を介して制御され、前記方法が、
前記少なくとも１つのモバイル送受信機（２００）についての制御プレーンアドレスを取得するステップ（１２）、
前記少なくとも１つのモバイル送受信機（２００）についてのユーザプレーンアドレスを前記制御プレーンアドレスの別個の変換に基づいて特定するステップ（１４）、及び
前記ユーザプレーンアドレスを提供するステップ（１６）
を備える方法。
【請求項２】
前記特定するステップ（１４）は前記制御プレーンアドレスの可逆的な変換に基づき、
及び／又は前記特定するステップ（１４）は前記制御プレーンアドレスの全単射変換に基づき、
及び／又は前記特定するステップ（１４）は前記制御プレーンアドレスのローカルな変換に基づく、請求項１に記載の方法。
【請求項３】
前記少なくとも１つのモバイル送受信機（２００）が前記少なくとも１つの移動通信システムインフラストラクチャエンティティ（１００）に関連付けられる場合、前記取得するステップ（１２）は前記制御プレーンアドレスを特定するステップ（１２ａ）をさらに備える、請求項１に記載の方法。
【請求項４】
前記変換は、接辞及び前記制御プレーンアドレスの少なくとも一部を使用することを含む、請求項１に記載の方法。
【請求項５】
前記制御プレーンアドレスは、一時的移動加入者識別番号ＴＭＳＩ、システムアーキテクチャエボリューション一時的移動加入者識別番号Ｓ−ＴＭＳＩ、国際移動体加入者識別番号ＩＭＳＩ及びグローバル一意一時識別子ＧＵＴＩのグループの少なくとも１つの要素に対応する、請求項１に記載の方法。
【請求項６】
前記接辞は固定のビットシーケンスを備え、
及び／又は前記接辞は前記少なくとも１つの移動通信システムインフラストラクチャエンティティ（１００）に関する、請求項４に記載の方法。
【請求項７】
前記移動通信システムインフラストラクチャエンティティ（１００）の少なくとも１つは、基地局送受信機、サービングゲートウェイ、パケットゲートウェイ、移動管理エンティティ及び無線アクセスネットワークユーザプレーンアンカのグループの少なくとも１つの要素に対応する、請求項１に記載の方法。
【請求項８】
移動通信システム（３００）の移動通信システムインフラストラクチャエンティティ（１００）において少なくとも１つのモバイル送受信機（２００）の制御プレーンアドレスを特定する方法であって、
前記移動通信システムインフラストラクチャエンティティ（１００）はユーザプレーン通信チャネル（３２０）を介して前記少なくとも１つのモバイル送受信機（２００）と通信するように構成され、前記モバイル送受信機（２００）は制御プレーン通信チャネル（３１０）を介して制御され、前記方法が、
前記少なくとも１つのモバイル送受信機（２００）のユーザプレーンアドレスを取得するステップ（２２）、及び
前記少なくとも１つのモバイル送受信機（２００）の制御プレーンアドレスを前記ユーザプレーンアドレスの別個の変換に基づいて特定するステップ（２４）
を備える方法。
【請求項９】
前記ユーザプレーンアドレスはサービスリクエストにおいて構成され、
前記方法が、
前記制御プレーンアドレスに基づいて前記少なくとも１つのモバイル送受信機（２００）をページングするステップ（２６）、
前記サービスリクエストについての宛先を取得するステップ（２８）、及び
前記サービスリクエストを前記少なくとも１つのモバイル送受信機（２００）に提供するステップ（３０）
をさらに備える請求項８に記載の方法。
【請求項１０】
前記特定するステップ（２４）は、可逆的、全単射的及び／又はローカルな変換に基づき、
及び／又は前記ユーザプレーンアドレスは、前記制御プレーンアドレスの可逆的な変換に基づく、請求項８に記載の方法。
【請求項１１】
前記変換は、接辞及び前記制御プレーンアドレスの少なくとも一部を使用することを含む、請求項８に記載の方法。
【請求項１２】
前記制御プレーンアドレスは、一時的移動加入者識別番号ＴＭＳＩ、システムアーキテクチャエボリューション一時的移動加入者識別番号Ｓ−ＴＭＳＩ、国際移動体加入者識別番号ＩＭＳＩ及びグローバル一意一時識別子ＧＵＴＩのグループの少なくとも１つの要素に対応し、
及び／又は前記接辞は固定のビットシーケンスを備え、
及び／又は前記接辞は前記少なくとも１つ移動通信システムインフラストラクチャエンティティ（１００）に関する、請求項１１に記載の方法。
【請求項１３】
ユーザプレーン通信チャネル（３２０）を介して少なくとも１つのモバイル送受信機（２００）と通信するように構成された少なくとも１つの移動通信システムインフラストラクチャエンティティ（１００）をさらに備える移動通信システム（３００）において少なくとも１つのモバイル送受信機（２００）にユーザプレーンアドレスを特定する装置（４０）であって、前記モバイル送受信機（２００）が制御プレーン通信チャネル（３１０）を介して制御され、前記装置（４０）が、
前記少なくとも１つのモバイル送受信機（２００）についての制御プレーンアドレスを取得するように構成された入力インターフェース（４２）、
前記少なくとも１つのモバイル送受信機（２００）についてのユーザプレーンアドレスを前記制御プレーンアドレスの別個の変換に基づいて特定するように構成された制御モジュール（４４）、及び
前記ユーザプレーンアドレスを提供するように構成された出力インターフェース（４６）
を備える装置。
【請求項１４】
移動通信システム（３００）の移動通信システムインフラストラクチャエンティティ（１００）において少なくとも１つのモバイル送受信機（２００）の制御プレーンアドレスを特定する装置（５０）であって、
前記移動通信システムインフラストラクチャエンティティ（１００）はユーザプレーン通信チャネル（３２０）を介して前記少なくとも１つのモバイル送受信機（２００）と通信するように構成され、前記モバイル送受信機（２００）は制御プレーン通信チャネル（３１０）を介して制御され、前記装置（５０）が、
前記少なくとも１つのモバイル送受信機（２００）のユーザプレーンアドレスを取得するように構成された入力インターフェース（５２）、及び
前記少なくとも１つのモバイル送受信機（２００）の制御プレーンアドレスを前記ユーザプレーンアドレスの別個の変換に基づいて特定するように構成された制御モジュール（５４）
を備える装置。
【請求項１５】
そこに具現されたコンピュータ可読プログラムコードを有するコンピュータ可読媒体を備えるコンピュータプログラム製品であって、コンピュータ、プロセッサ又はプログラム可能なハードウェアコンポーネントに読み込まれた場合に、前記コンピュータ可読プログラムコードが請求項１３及び１４の方法のいずれかを実行するように構成された、コンピュータプログラム製品。
【発明の詳細な説明】
【技術分野】
【０００１】
実施形態は、ユーザプレーンアドレスを提供する方法、装置及びコンピュータプログラムに関し、より具体的には、ただし排他的にではなく、制御プレーンアドレスの変換に基づくユーザプレーンアドレスを提供する方法、装置及びコンピュータプログラムに関する。
【背景技術】
【０００２】
この章では、発明のより良い理解の促進に役立ち得る態様を紹介する。したがって、この章における記載はこの観点で読まれるべきであり、何が先行技術にあるのか、又は何が先行技術にないのかについて自認するものとして理解されるべきではない。
【０００３】
通信システムのスループットを増加させる要求は確実に増している。スマートフォン、コンピュータ又はストリーミングデバイスなどの接続デバイスがより広範な使用及びより高品質なサービスの需要に起因して送信データ量を増加させるにつれて、新しいカテゴリのデバイスが利用可能な帯域幅の増加する割当てを使用することになる。
【０００４】
主にマシンツーマシン（Ｍ２Ｍ）通信に依存するモノのインターネット（ＩｏＴ）は、温度計、家電製品、生体モニタなどの以前は接続されていなかったデバイスを通信システム、例えばモバイル通信システムに接続する。
【０００５】
マシンツーマシン通信、特に大規模マシンツーマシン通信（ＭＭＣ）は、通信システムに参加するデバイス数を増加させることができる。ＭＭＣに参加するそのような機器は遠隔地域に位置し、又は携帯されるので、ＭＭＣは、モバイル通信システム、例えば汎用パケット無線サービス（ＧＰＲＳ）、ユニバーサル移動体通信システム（ＵＭＴＳ）、ロングタームエボリューション（ＬＴＥ）又は第５世代移動通信システム（５Ｇ）を使用することもできる。多くの場合、ＭＭＣでは高品質のコンテンツは交換されていないので、命令、センサ読取値などの疎なデータ、ＭＭＣに送信されるデータパケットは、スマートフォン又はストリーミングクライアントによって送信又は受信されるデータパケットと比較して小さいサイズのもので構成されることになり、それはデータを転送するための接続又はベアラを確立するのに高いオーバーヘッドをもたらし得る。
【０００６】
移動通信システム、例えばＬＴＥ又は５Ｇは、無線特有の管理機能、例えば無線リソース制御（ＲＲＣ、送信における無線リソースの割当）又は（移動通信システム内の位置／関連基地局送受信機を決定する）モバイル送受信機ページングの取扱いに使用される制御プレーン、及びユーザデータ、例えばインターネットプロトコルパッケージ又は呼の転送を取扱うユーザプレーンを備え得る。
【発明の概要】
【０００７】
種々の実施形態は、ユーザプレーンアドレスを特定する方法、装置及びコンピュータプログラムに関する。少なくともある実施形態では、その少量の送信におけるオーバーヘッドを軽減するために、実施形態はコネクションレスパラダイムを使用し、例えば実施形態は、モバイル送受信機と、例えばパケットゲートウェイとの間の接続（ベアラ）を確立せずに、移動通信システム内のパケットベースのルーティングを使用し得る。移動通信システムにおいて、ユーザプレーン及び制御プレーンは分離され得る−ユーザプレーンは移動通信システムのモバイル送受信機へ、及びモバイル送受信機から、データ、呼などを送信するのに使用され、制御プレーンはモバイル送受信機、例えば移動通信システムの基地局送受信機とのそれらの関連を調整及び管理するのに使用され得る。パケットベースのルーティングは、モバイル送受信機を識別するのに（接続の代わりに）ユーザプレーンアドレスに基づくことができる。両プレーンとも、異なる識別手段、例えば制御プレーンでは国際移動体加入者識別番号（ＩＭＳＩ）及び一時的移動加入者識別番号（ＴＭＳＩ）又は従来システムではユーザプレーンに対しては専用接続若しくはベアラを用いてモバイル送受信機を区別する。実施形態は、ユーザプレーン及び制御プレーンの双方についてコネクションレスパラダイムをサポートすることができ、例えば実施形態は、例えばパケット交換パラダイムに基づいて、最初にモバイル送受信機に特有の専属接続を確立することなしに制御プレーンを介して、及びユーザプレーンを介して通信することができる。従来のシステムでは、ユーザプレーン通信から制御プレーンアドレスを見つけ出すために、移動管理エンティティが、ユーザプレーン通信の専用接続又はベアラに基づいて制御プレーンアドレスを特定するのに含まれ、移動管理エンティティに高い通信オーバーヘッド及び負荷がもたらされる。これは、例えばパケット及び呼がモバイル送受信機に対して到達する場合に必要であり、それは任意の基地局送受信機に能動的には接続されず、ページングを使用する基地局送受信機の間に位置する必要があり、それは制御プレーンアドレスを必要とする。
【０００８】
実施形態は、ユーザプレーンアドレスに基づくユーザプレーン通信と制御プレーンアドレスとの変換を提供する。変換は、ローカルに算出され、例えば可逆変換指示に基づいており、データベース又は個別のエンティティを必要とせずに、それゆえ移動通信システムのコアネットワークにおけるオーバーヘッドを軽減し得る。これにより制御プレーン又はユーザプレーンアドレスのローカルで、かつレイテンシが軽減された特定が可能となり、それはユーザプレーンと制御プレーンとの間のギャップのブリッジ、例えばページングに使用され得る。
【０００９】
実施形態は、移動通信システムの少なくとも１つのモバイル送受信機についてのユーザプレーンアドレスを提供する方法を提供する。移動通信システムは、少なくとも１つの移動通信システムインフラストラクチャエンティティを備え、ユーザプレーン通信チャネルを介して少なくとも１つのモバイル送受信機と通信するように構成される。モバイル送受信機は、制御プレーン通信チャネルを介して制御される。方法は、少なくとも１つのモバイル送受信機に対する制御プレーンアドレスを取得するステップを備える。方法は、制御プレーンアドレスの別個の変換に基づいて少なくとも１つのモバイル送受信機についてのユーザプレーンアドレスを特定するステップをさらに備える。方法は、ユーザプレーンアドレスを提供するステップをさらに備える。別個の変換に基づいたユーザプレーンアドレスの特定は、データベース又は制御インスタンスにおける対応するアドレスの検索を必要とせずにユーザプレーン−制御プレーンブリッジングを可能とすることができる。これにより、オーバーヘッド及び遅延が減少し、移動通信システムの任意の点におけるユーザプレーン−制御プレーン相互作用が可能となり、移動通信システムにおけるコネクションレスルーティングが可能となり得る。
【００１０】
少なくともある実施形態では、特定するステップは、制御プレーンアドレスの可逆的な変換に基づいていてもよい。種々の実施形態では、特定するステップは、制御プレーンアドレスの全単射変換に基づいていてもよい。少なくともある実施形態では、特定するステップは、制御プレーンアドレスのローカルな変換に基づいていてもよい。可逆的及び／又は全単射変換は制御プレーンからユーザプレーンへの変換及びその反対を可能とし、すなわち、制御プレーンアドレス又はユーザプレーンアドレスは、移動通信システム内の任意のエンティティにおいて特定され、ローカルに実行され得る。これにより、例えば静的変換規則に基づく場合には、制御プレーン−ユーザプレーンブリッジングがさらに可能となり得る。ローカルな変換は、変換の遅延を減少させ、追加のエンティティ、例えば移動通信システムの移動管理エンティティ（ＭＭＥ）を必要とせずに変換を可能とすることができる。
【００１１】
種々の実施形態では、取得するステップは、少なくとも１つのモバイル送受信機が少なくとも１つの移動通信システムインフラストラクチャエンティティに関連する場合、制御プレーンアドレスを特定するステップをさらに備える。制御プレーンアドレスを特定するステップは、少なくとも１つのモバイル送受信機が少なくとも１つの移動通信システムインフラストラクチャエンティティに関連する場合、少なくとも１つのモバイル送受信機の別個の一時的な制御プレーンアドレス設定を可能とし、それは少なくとも１つのモバイル送受信機の別個のユーザプレーンアドレス設定を可能とし得る。
【００１２】
種々の実施形態では、制御プレーンアドレスは、一時的移動加入者識別番号ＴＭＳＩ、システムアーキテクチャエボリューション一時的移動加入者識別番号Ｓ−ＴＭＳＩ、国際移動体加入者識別番号ＩＭＳＩ及びグローバル一意一時識別子ＧＵＴＩのグループの少なくとも１つの要素に対応し得る。制御プレーンアドレスに対する標準化されたフォーマットの使用は、実施形態の幅広い適応を可能とし得る。
【００１３】
少なくともある実施形態では、変換は、接辞（ａｆｆｉｘ）及び制御プレーンアドレスの少なくとも一部を使用するステップを備え得る。制御プレーンアドレスの少なくとも一部を使用するステップにより、ユーザプレーンと制御プレーンの間の低複雑性変換が可能となり得る。接辞を使用するステップにより、異なるアドレス空間又はアドレス空間の次元を有するアドレス空間の間の変換が可能となり、例えばルーティングに使用され得る追加情報を含むことが可能となり得る。
【００１４】
少なくともある実施形態では、接辞は、固定のビットシーケンスを備え得る。代替的又は追加的に、接辞は、少なくとも１つの移動通信システムインフラストラクチャエンティティに関係し得る。固定のビットシーケンスは、変換を容易にし、ユーザプレーンアドレス長又は制御プレーンアドレス長の延長を可能とし得る。少なくとも１つの移動通信システムインフラストラクチャエンティティと関係する接辞は、制御プレーンアドレス又はユーザプレーンアドレスに更なる情報、例えばルーティング情報を含むことを可能とし得る。接辞は、例えばプレフィックス及び／又はサフィックスに対応し得る。
【００１５】
少なくともある実施形態では、少なくとも１つのモバイル通信システムエンティティは、基地局送受信機、サービングゲートウェイ、パケットゲートウェイ、移動管理エンティティ、及び無線アクセスネットワークユーザプレーンアンカーのグループの少なくとも１つの要素に対応し得る。制御プレーン及びユーザプレーンが様々なエンティティと通信可能となることによって、モバイル通信システムにおけるオーバーヘッド及び／又は遅延がさらに減少し得る。
【００１６】
実施形態では、移動通信システム内の移動通信システムインフラストラクチャエンティティにおける少なくとも１つのモバイル送受信機の制御プレーンアドレスを特定する方法をさらに提供する。移動通信システムインフラストラクチャエンティティは、ユーザプレーン通信チャネルを介して少なくとも１つのモバイル送受信機と通信するように構成される。モバイル送受信機は、制御プレーン通信チャネルを介して制御される。方法は、少なくとも１つのモバイル送受信機のユーザプレーンアドレスを取得するステップを備える。方法は、少なくとも１つのモバイル送受信機のユーザプレーンアドレスの別個の変換に基づいて制御プレーンアドレスを特定するステップをさらに備える。ユーザプレーンアドレスに基づいて制御プレーンアドレスを特定するステップは、移動通信システムの種々の、例えばインフラストラクチャノード又はゲートウェイから、例えばＭＭＥを伴わないページングをトリガする時点で制御動作の実行を可能とし得る。
【００１７】
少なくともある実施形態では、ユーザプレーンアドレスは、サービスリクエストにおいて構成され得る。方法は、制御プレーンアドレスに基づいて少なくとも１つのモバイル送受信機をページングするステップをさらに備え得る。方法は、サービスリクエストの宛先を取得するステップをさらに備え得る。方法は、少なくとも１つのモバイル送受信機にサービスリクエストを提供するステップをさらに備え得る。ユーザプレーンアドレスに基づく制御プレーンアドレスの特定及び任意のインフラストラクチャノード又はゲートウェイからの、例えばＭＭＥを伴わないページングのトリガによって移動通信システムのオーバーヘッドの減少及び／又は遅延の減少が可能となる。
【００１８】
種々の実施形態では、特定するステップは、可逆的、全単射、及び／又はローカルな変換に基づき得る。ユーザプレーンアドレスは、制御プレーンアドレスの可逆的な変換に基づき得る。可逆的及び／又は全単射変換は、制御プレーンからユーザプレーンへ、及びその逆への変換を可能とし、また、例えば静的変換規則に基づく場合、制御プレーン−ユーザプレーンブリッジングを可能とし得る。ローカルな変換は、変換の遅延を減少させ、追加のエンティティ、例えば、現在例えばＬＴＥで使用されている移動通信システムの移動管理エンティティ（ＭＭＥ）を伴わずに変換を可能とし得る。制御プレーンアドレスの可逆変換に基づくユーザプレーンアドレスは、ユーザプレーンアドレスの再変換を可能とし得る。
【００１９】
少なくともある実施形態では、変換は、接辞及び制御プレーンアドレスの少なくとも一部を使用するステップを備える。制御プレーンアドレスの少なくとも一部を備えることにより、ユーザプレーンと制御プレーンとの間の低複雑性変換が可能となり得る。接辞を備えることによって、異なるアドレス空間を有するアドレス空間での変換が可能となり、例えばルーティングに使用され得る追加情報を含むことが可能となる。
【００２０】
実施形態は、移動通信システムの少なくとも１つのモバイル送受信機に対してユーザプレーンアドレスを特定する装置をさらに提供する。移動通信システムは、少なくとも１つの移動通信システムインフラストラクチャエンティティをさらに備え、ユーザプレーン通信チャネルを介して少なくとも１つのモバイル送受信機と通信するように構成される。モバイル送受信機は、制御プレーン通信チャネルを介して制御される。装置は、少なくとも１つのモバイル送受信機に対する制御プレーンアドレスを取得するように構成された入力インターフェースを備える。また、装置は制御モジュールを備え、制御プレーンアドレスの別個の変換に基づいて少なくとも１つのモバイル送受信機に対するユーザプレーンアドレスを特定するように構成される。また、装置は、ユーザプレーンアドレスを供給するように構成された出力インターフェースを備える。
【００２１】
実施形態は、移動通信システムの移動通信システムインフラストラクチャエンティティにおいて少なくとも１つのモバイル送受信機の制御プレーンアドレスを特定する装置をさらに提供する。移動通信システムインフラストラクチャエンティティは、ユーザプレーン通信チャネルを介して少なくとも１つのモバイル送受信機と通信するように構成される。モバイル送受信機は、制御プレーン通信チャネルを介して制御される。装置は、少なくとも１つのモバイル送受信機のユーザプレーンアドレスを取得するように構成された入力インターフェースを備える。装置は、ユーザプレーンアドレスの変換に基づいて少なくとも１つのモバイル送受信機の制御プレーンアドレスを特定するように構成された制御モジュールをさらに備える。
【００２２】
更なる実施形態は、コンピュータプログラム製品であり、その内部に具体化されたコンピュータ可読プログラムコードを有するコンピュータ可読媒体を備え、コンピュータ可読プログラムコードは、コンピュータ、プロセッサ又はプログラム可能なハードウェアコンポーネントに読み込まれた場合、上記の方法の１つを実行するように構成される。
【００２３】
また、実施形態は、コンピュータプログラムがコンピュータ、プロセッサ又はプログラム可能なハードウェアコンポーネント上で実行される場合に上記の方法を実行するプログラムコードを有するコンピュータプログラムを提供する。更なる実施形態は、コンピュータ、プロセッサ又はプログラム可能なハードウェアコンポーネントによって実行される場合にコンピュータにここに記載する方法の１つを実行させる命令を記憶したコンピュータ可読記憶媒体である。
【００２４】
いくつかの他の特徴又は態様を、以下に述べる装置、方法、コンピュータプログラム又はコンピュータプログラム製品の非限定的な実施形態を例としてのみ用いて、添付図面を参照して説明する。
【図面の簡単な説明】
【００２５】
【図１】図１は、ユーザプレーンアドレスを提供する方法の実施形態のフローチャートを示す。
【図１ａ】図１ａは、制御プレーンアドレスを特定するステップをさらに備えるユーザプレーンアドレスを提供する方法の実施形態の他のフローチャートを示す。
【図２】図２は、制御プレーン−ユーザプレーンブリッジングの例示の実施形態を示す。
【図２ａ】図２ａは、制御プレーン−ユーザプレーンブリッジングの例示の実施形態を示す。
【図３】図３は、ユーザプレーンページングの例示の実施形態のメッセージングシーケンスを示す。
【図４】図４は、少なくとも１つのモバイル送受信機の制御プレーンを特定する方法の実施形態のフローチャートを示す。
【図４ａ】図４ａは、少なくとも１つのモバイル送受信機の制御プレーンを特定し、さらに少なくとも１つのモバイル送受信機をページングする方法の他の実施形態のフローチャートを示す。
【図５】図５は、移動通信システムの例示の実施形態を示す。
【図６】図６は、ユーザプレーンアドレスを特定する装置４０の実施形態のブロック図を示す。
【図７】図７は、制御プレーンアドレスを特定する装置５０の実施形態のブロック図を示す。
【発明を実施するための形態】
【００２６】
種々の例示の実施形態を、幾つかの例示の実施形態を説明する添付図面を参照してより詳細に説明する。図中では、線、レイヤ又は領域の厚さは見やすくするために強調され得る。選択的構成要素を折線、破線及び点線で示す。
【００２７】
したがって、例示の実施形態は種々の変形や代替形式が可能であるが、その実施形態は図中の例として示され、ここに詳細に説明される。一方、例示の実施形態を開示された特定の形式に限定する意図はないことが理解されるべきであり、逆に例示の実施形態は、本発明の範囲内に含まれる全ての変形、均等物及び代替物を包含するものである。図の説明を通して、同様の符号は、同様又は類似の要素について言及する。
【００２８】
ここで使用される場合、用語「ｏｒ」は、特記のない場合（例えば「そうでなければ」又は「又は代替的に」）は、非排他的なｏｒを意味する。さらに、ここで使用される場合、要素間の関係を説明するために使用される単語は、特記のない場合は、直接的関係又は介在要素の存在を含むように広く解釈されるべきである。例えば、要素が他の要素に「ｃｏｎｎｅｃｔｅｄ」又は「ｃｏｕｐｌｅｄ」という場合には、それは他の要素に直接接続又は結合されてもよいし、介在要素が存在する場合もあり得る。これに対し、要素が他の要素に「ｄｉｒｅｃｔｌｙ  ｃｏｎｎｅｃｔｅｄ」又は「ｄｉｒｅｃｔｌｙ  ｃｏｕｐｌｅｄ」という場合には、介在要素は存在しない。同様に、「ｂｅｔｗｅｅｎ」、「ａｄｊａｃｅｎｔ」などの単語も同じように解釈されるべきである。
【００２９】
ここで使用される用語は、特定の実施形態を説明するにすぎず、例示の実施形態の限定を意図するものではない。ここで使用される場合、単数形の「ａ」、「ａｎ」及び「ｔｈｅ」は、文脈が明確に示さない限り、複数形も同様に含むことを意図する。用語の「ｃｏｍｐｒｉｓｅｓ」、「ｃｏｍｐｒｉｓｉｎｇ」、「ｉｎｃｌｕｄｅｓ」又は「ｉｎｃｌｕｄｉｎｇ」は、ここで使用される場合は、記述した特徴、整数、工程、動作、要素又は構成部品の存在を特定するが、他の１以上の特徴、整数、工程、動作、要素、構成部品若しくはそれらのグループの存在又は追加を排除しないこともさらに理解されるはずである。
【００３０】
特に明記しない限り、ここで使用される（技術的及び科学的用語も含めて）全ての用語は、例示の実施形態が属する当業者によって一般的に理解されるものと同じ意味を有する。さらに、例えば一般的に使用される辞書に定義される用語は、ここにそのように明示されない限り、関連する技術の文脈における意味と一致する意味を有するように解釈されるべきであり、理想化された、又は過度に形式的な意味で解釈されることはないことも理解されるはずである。
【００３１】
多くの移動通信システムは、機能を制御プレーン（シグナリング）及びユーザプレーン（ユーザ通信サービス）に分離する。両プレーンは従来のシステムでは接続指向な態様で作用するので、接続は頻繁にセットアップ、変更及び解除される必要がある。
【００３２】
これにより、特に散発的なトランザクションの挙動を示すアプリケーションにおいて高いシグナリング負荷がもたらされる。そのような挙動は、多くのＭ２Ｍ（マシンツーマシン）及びＩｏＴ（モノのインターネット）アプリケーションには標準的であり、将来支配的になり得る。第５世代（５Ｇ）移動通信システムについては、主な目標は、コネクションレスな方法でサービスを提供する可能性を有すること、例えばモノのインターネット内の大規模アプリケーションを経済的にサポートすることになる。ユーザプレーンでは、５Ｇは、コネクションレスサービスを可能とするパケット交換通信によってパス交換通信を交換／補足する方法を導入し得る。
【００３３】
少なくともある実施形態は、移動通信システム、例えば５Ｇ移動通信システムにおいて自由でかつ柔軟なユーザプレーン及び制御プレーン相互作用を構成するために、制御及びユーザプレーンブリッジングにための一般的アドレッシング手法に関する。実施形態は、現在のシステムで一時的な識別子の使用を通じて提供されるプライバシー要件を遵守しながら、少ない労力でパケット交換に必要な端末ユーザプレーンアドレスのプロビジョニングを提供することができる。従来のシステムは、ベンダによってユーザプレーンのデバイスに割り当てられる固定のイーサネットアドレスを使用し得る。しかし、この方法は、永久的なアドレスによってユーザを容易に追跡できるモバイルサービスについてのプライバシー要件に抵触し得る。制御プレーンでは、端末（例えば図１の説明で紹介される少なくとも１つのモバイル送受信機２００）は、従来的には、関連する一時的識別子ＧＵＴＩ（グローバル一意一時識別子）によって、各々短縮形のＳ−ＴＭＳＩ（永久的識別子ＩＭＳＩは端末ネットワークインターフェースの例外として使用されることがある）によって対処される。実施形態の基本概念は、このような制御プレーンアドレスをユーザプレーンに再利用することである。
【００３４】
また、実施形態は、ユーザプレーンと制御プレーンとの間のインタワーキングを可能とし、ユーザプレーンのネットワークノードと制御プレーンのネットワークノードと間のユーザ固有の接続を必要としないこともある。実施形態は、例えばモバイル通信システムのサービングゲートウェイ（Ｓ−ＧＷ）と移動管理エンティティ（ＭＭＥ）との間の既存の接続を再使用し得る。
【００３５】
従来のユーザプレーン−制御プレーン相互作用を供給するシステムは、ユーザプレーンノードと制御プレーンノードとの間の端末固有の接続を必要とする。この例は、ｅＮＢにおけるユーザ機器（ＵＥ）へのメッセージと第３世代パートナーシッププロジェクト（３ＧＰＰ）技術標準（ＴＳ）３６．４１３に見られるＳ１−ＡＰＰ規格に記載されるエボルブドパケットコア（ＥＰＣ）との関連についてエンハンストノードＢ（ｅＮＢ）とＭＭＥとの間のＵＥ−関連ロジカルＳ１接続、及びＭＭＥとＳ−ＧＷとの間に保持されるユーザ指定汎用パケット無線サービストンネリングプロトコルＧＴＰ−ｃトンネルである。ＵＥは、モバイル送受信機に、例えば移動通信システムの図１で導入された少なくとも１つのモバイル送受信機２００に対応し得る。
【００３６】
少なくとも一部の実施形態の基本概念は、端末の制御プレーンアドレス及びユーザプレーンアドレスがＵＥ依存的ではなく一般的な機能によって１対１でマッピングされるような共通のアドレッシング手法を有することである（すなわち、制御又はユーザプレーンアドレスのどちらかを認識している全てのノードは、もう一方のアドレスを単純なアルゴリズム機能で取得することが可能である）。図２に例示の実施形態を示す。ＭＭＥコード、ＭＭＥグループＩＤ及び公衆地上移動体通信網（ＰＬＭＮ）ＩＤからなる４８ビットのグローバル一意ＭＭＥ識別子（ＧＵＭＭＥＩ）、３２ビットのＭＭＥ  ＴＭＳＩ（Ｍ−ＴＭＳＩ）並びにＭ−ＴＭＳＩ及びＭＭＥコードからなるＳ−ＴＭＳＩを備える制御プレーン（又はＣ−プレーン）一時的アドレス２００２ＧＵＴＩ（８０ビット）のうちの、Ｓ−ＴＭＳＩが制御プレーンアドレスとして使用される。図２に、例示の実施形態で説明されるレイヤ２（Ｌ２）ユーザプレーンアドレスは、制御プレーンアドレスとして使用されるＳ−ＴＭＳＩに適用される機能によって表されることを示す。さらに、図２ａは、特定の例示の実施形態を説明し、そこでは制御プレーンアドレスは４８ビットのイーサネット（ＩＥＥＥ８０２．３）アドレス２００４にマッピングされる。４８ビットのイーサネットアドレス２００４は、例えば４０ビットのＳ−ＴＭＳＩ又はその変形及び予め定義された、例えばイーサネット標準に特定されるように、ユニキャストでローカルに管理されるものとしてアドレスを示すような追加ビットを備え得る。そして、これらのアドレスは、５Ｇ移動管理エンティティ２００６及び５Ｇ無線アクセス網ゲートウェイ（ＲＡＮ  ＧＷ）２００８によって使用されてモバイル送受信機２０１０にアドレス付与し、それは図１で紹介されるように少なくとも１つのモバイル送受信機２００に対応し、複数の５Ｇセル２０１２に関連付けられる。５Ｇ  ＭＭ２００６及び／又は５Ｇ  ＲＡＮ  ＧＷ２００８は、図６で導入されるような少なくとも１つのモバイル通信インフラストラクチャエンティティ１００に対応し得る。５Ｇ  ＲＡＮ  ＧＷは、移動通信システムのパケットデータ網（ＰＤＮ）２０１４へのゲートウェイとして作用し、その後に導入される移動通信システム３００に対応し得る。
【００３７】
上述のように、ユーザ及び制御プレーン相互作用に関する接続指向の原則には大きな不利益が伴うことがある。何よりもまず、接続に対する多大な構成労力は、ユーザプレーンと制御プレーンとの相互作用点を２つのノード（ｅＮＢ−ＭＭＥ及びＳ−ＧＷ−ＭＭＥ）に限定することを必要とし、端末の移動性又は不活動性によってそのような接続を解放及び再確立するのに多大なシグナリングオーバーヘッドを要し得る。実施形態は、ユーザプレーンと制御プレーンとの間にコネクションレス端末に特有な相互作用を導入することによってシグナリングオーバーヘッドを回避することができ、シグナリング接続が維持される必要がないようにアーキテクチャ中に追加のノード（例えば移動追跡ローカルアンカ）の導入を可能とする。
【００３８】
この基本概念は、例えばＳ−ＴＭＳＩ（システムアーキテクチャエボリューション一時的移動体加入者識別番号）などのような制御プレーンアドレスを再使用することによって、ユーザプレーンアドレスを有するモバイル送受信機の簡素な構成を可能とする。さらに実施形態は、変換可能な識別子を用いてインタワーキングを促進して、アドレスを解明するための更なるステップを必要とせずに両プレーンが通信できるように使用され得る。ユーザプレーンノードは、端末の制御プレーンページングアドレスを特定すると、その制御プレーンのページングコンセプトを再利用することができる。
【００３９】
現実的な観点で、このことは以下を意味する。コネクションレスなユーザプレーンに関するネットワークプロトコルは、イーサネットネットワークプロトコルと同様であり、又はイーサネット（ＩＥＥＥ８０２．３）に基づき得る。１対１マッピング機能は、図２ａに示されるように使用され得る。例示の実施形態では、４０ビット制御プレーンＵＥ識別子Ｓ−ＴＭＳＩは、イーサネットアドレスにマッピングされていてもよく、そこでは最初の８ビットが一般的に知られている固定値に対応し得る。逆方向では、端末のＳ−ＴＭＳＩは、図２ａに見られるように、端末イーサネットアドレスの最初の８ビットを削除することで再現され得る。
【００４０】
図１に、移動通信システム３００における少なくとも１つのモバイル送受信機２００のユーザプレーンアドレスを提供する方法の実施形態のフローチャートを示す。さらに移動通信システム３００は、少なくとも１つの移動通信システムインフラストラクチャエンティティ１００を備え、ユーザプレーン通信チャネル３２０を介して少なくとも１つのモバイル送受信機２００と通信するように構成される。モバイル送受信機２００は、制御プレーンチャネル３１０を介して制御される。少なくともある実施形態では、少なくとも１つの移動通信システムインフラストラクチャエンティティ１００のインフラストラクチャエンティティは、制御プレーン通信チャネルを介して、モバイル送受信機２００を制御し、又はモバイル送受信機２００と制御情報を交換するように構成され得る。
【００４１】
少なくとも１つの移動通信システムエンティティ１００は、例えば基地局送受信機、サービングゲートウェイ、パケットゲートウェイ、移動管理エンティティ及び無線アクセスネットワークユーザプレーンアンカのグループの少なくとも１つの要素に対応し得る。制御プレーン通信チャネル３１０及び／又はユーザプレーン通信チャネル３２０は、コネクションレスな通信チャネル、例えばパケット交換通信チャネルに対応し得る。少なくとも１つのモバイル送受信機２００及び少なくとも１つのモバイル通信システムインフラストラクチャエンティティ１００のインフラストラクチャエンティティは、例えば、制御プレーンアドレス、例えば制御プレーン宛先アドレス及び／又は制御プレーン発信元アドレスを使用して制御プレーン通信チャネル３１０を介して、又はユーザプレーンアドレス、例えばユーザプレーン宛先アドレス及び／又はユーザプレーン発信元アドレスを使用してユーザプレーン通信チャネル３１０を介して通信することができる。少なくともある実施形態では、少なくとも１つの移動通信システムインフラストラクチャエンティティ１００のインフラストラクチャエンティティは、例えば、ユーザプレーン通信チャネルを使用してモバイル送受信機２００と通信し、制御プレーン通信チャネルを介してモバイル送受信機２００と通信する少なくとも１つの移動通信システムインフラストラクチャエンティティ１００の他のインフラストラクチャエンティティを介してモバイル送受信機２００の制御に影響を与え得る。種々の実施形態では、少なくとも１つのモバイル送受信機２００及び少なくとも１つの移動通信システムインフラストラクチャエンティティ１００は、例えばコネクションレスな通信を使用して通信することができ、例えば専用接続セットアップを必要としないこともある。
【００４２】
方法は、少なくとも１つのモバイル送受信機２００に対する制御プレーンアドレスを取得するステップ１２を備える。少なくともある実施形態では、取得するステップ１２は、例えば少なくとも１つの移動通信システムインフラストラクチャエンティティ１００からの及び／又はデータパケット若しくはサービスリクエストにおいて構成される制御プレーンアドレスを受信するステップに対応する。種々の実施形態では、図１ａに示すように、少なくとも１つのモバイル送受信機２００が少なくとも１つの移動通信システムインフラストラクチャエンティティ１００と関連する場合、取得するステップ１２は制御プレーンアドレスを特定するステップ１２ａをさらに備え得る。例えば、制御プレーンアドレスは、少なくとも１つのモバイル送受信機２００が移動通信システムに参加し、例えば移動通信システムの基地局送受信機と初めて関連する場合、移動管理を制御するように構成されたエンティティ又はモジュール、例えば移動管理エンティティ（ＭＭＥ）によって特定され得る。制御プレーンアドレスは、例えば一時的移動加入者識別番号ＴＭＳＩ、システムアーキテクチャエボリューション一時的移動加入者識別番号Ｓ−ＴＭＳＩ、国際移動体加入者識別番号ＩＭＳＩ及びグローバル一意一時識別子ＧＵＴＩのグループの少なくとも１つの要素と対応し、それは少なくとも１つのモバイル送受信機２００がネットワークに関連する場合に割り当てられることができる。
【００４３】
方法は、制御プレーンアドレスの別個の変換に基づいた少なくとも１つのモバイル送受信機２００についてのユーザプレーンアドレスを特定するステップ１４をさらに備える。別個の変換は、予め定義された変換関数、例えば数学的関数、文字列連結関数又はビット単位変換関数（例えばＸＯＲ関数）に基づき得る。好ましい実施形態では、変換は、制御プレーンアドレスを単独可変入力パラメータとして使用し得る。種々の実施形態では、特定するステップは、制御プレーンアドレスのローカルな変換に基づいていてもよく、例えばユーザプレーンアドレスは更なるデータソース又は移動通信システムインフラストラクチャエンティティを伴わずに特定される。
【００４４】
少なくともある実施形態では、特定するステップ１４は、制御プレーンアドレスの可逆変換に基づいていてもよく、例えば特定するステップ１４は制御プレーンアドレスの全単射変換に基づいていてもよい。特定するステップ１４は、制御プレーンアドレス空間からのアドレスをユーザプレーンアドレス空間のアドレスに別個に割り当てるのに使用される割当規則に基づいていてもよい。種々の実施形態では、ユーザプレーンアドレス空間及び制御プレーンアドレス空間は対応し得る。好ましい実施形態では、変換は同一性に対応し得るものであり、例えば、ユーザ空間アドレスは、同一のアドレス空間又は個別のアドレス空間のいずれかにおいて制御空間アドレスに対応し（それらは同一のバイナリ又は文字列表現を共有し得る）、それはそれぞれのアドレス空間の少なくとも一部について同一のアドレスをサポートし得る。
【００４５】
少なくともある実施形態では、変換は、接辞及び制御プレーンアドレスの少なくとも一部を使用するステップを備え得る。接辞は、サフィックス又はプレフィックスに対応し得る。それは、固定されたビットシーケンスを備え、及び／又は少なくとも１つの移動通信システムインフラストラクチャエンティティ１００に基づき得る。接辞は、少なくとも１つの移動通信システムインフラストラクチャエンティティ１００に関連していてもよく、例えば少なくとも１つの移動通信システムインフラストラクチャエンティティ１００の識別子又はあるグループの識別子、例えばＭＭＥのグループＩＤに基づいていてもよい。接辞は、例えばアドレスのタイプ（ユニキャスト、マルチキャスト）、ローカルかグローバルかなどに関わらず情報を備え得る。それは、固定値、例えば１１１１１１をさらに備え得る。少なくともある実施形態では、変換は、接辞を制御プレーンアドレスの少なくとも一部に連結してユーザプレーンアドレスを特定すること（１４）ができる。
【００４６】
接辞は、方法を実行する全てのモジュールに対する同一の規則若しくは固定値に基づいていてもよいし、例えば固定値若しくは関数は標準文書中に特定されてもよいし、又は移動通信システム３００のオペレータはこの規則を全ての各ノードに一貫して構成することを担うことができる。
【００４７】
代替の実施形態では、接辞は、例えばそれぞれのビットの選択を拡張することによって、より広いアドレス空間を作成するのに使用され得る。接辞は、例えばＭＭＥグループＩＤに基づき得る。端末のユーザプレーンと制御プレーンとのアドレスの１対１（全単射）マッピングは、特定の（サービス又はプール）領域、例えばＭＭＥグループにリンクされ得る。アドレス長が全てのモバイル送受信機をカバーするのに十分長くなるように選択され、例えば、制御プレーンアドレスがＧＵＴＩ又はＩＭＳＩに対応しており、それらがグローバルに一意（７６ビットと８０ビットの間のＧＵＴＩ、標準符号化６０ビットでの１５桁のＩＭＳＩ）である場合に、この制限は解除され得る。これは、例えばイーサネット（４８ビット）又はＩＥＥＥ８０２．１４．５（６４ビット）で使用されるものよりも長い。
【００４８】
６４ビットアドレス長のアドレスが使用される場合、少なくともある実施形態は、制御プレーンＩＭＳＩの６０ビットとユーザプレーンの６４ビットアドレスとの間のグローバルに一意な１対１マッピングを（例えばユーザプレーンアドレスにおいて上位４ビットを固定値に設定することにより）定義することができる。
【００４９】
方法は、ユーザプレーンアドレスを提供するステップ１６をさらに備える。少なくともある実施形態では、提供するステップ１６は、ユーザデータの少なくとも１つのモバイル送受信機２００への送波について、ユーザプレーンアドレスを移動通信システム３００の他のエンティティに送信するステップ又はユーザプレーンアドレスを提供するステップを備え得る。
【００５０】
少なくともある実施形態では、ユーザプレーンアドレスは、ユーザプレーン通信チャネルを介した通信のために少なくとも１つのモバイル送受信機２００をアドレス設定するのに使用され得る。制御プレーンアドレスは、制御プレーン通信チャネルを介した通信をするのに少なくとも１つのモバイル送受信機２００をアドレス設定するのに使用され得る。
【００５１】
少なくともある実施形態では、移動通信システム３００の制御プレーンは、無線特有の管理機能、例えば無線リソース制御（ＲＲＣ、送信のための無線リソース割当）又はモバイル送受信機の（移動通信システム内の位置／関連基地局送受信機を特定するための）ページングを取り扱うことができる。少なくともある実施形態では、制御プレーンは、ロングタームレボリューション（アドバンスト）（ＬＴＥ／ＬＴＥ−Ａ）及び／又は５Ｇ制御プレーンに対応し得る。制御プレーン通信チャネル３１０は、制御プレーン特有の通信を伝送するのに使用され得る。制御プレーン通信チャネル３１０上の制御プレーン通信は、制御プレーンプロトコル、例えばＲＲＣ、非アクセス層（ＮＡＳ）プロトコル、Ｓ１アプリケーションプロトコル（Ｓ１−ＡＰ）又は次世代モバイルネットワークの新しいコネクションレスレイヤ２に基づいたプロトコルに基づくことができ、以下、コネクションレストンネルプロトコル（ＣＬＴＰ）という。
【００５２】
少なくともある実施形態では、移動通信システム３００のユーザプレーンは、ユーザデータの転送、例えばインターネットプロトコル―パッケージ又は呼を取り扱うことができる。ユーザプレーンは、例えばＬＴＥ／ＬＴＥ−Ａ又は５Ｇユーザプレーンに対応し得る。ユーザプレーン通信チャネル３２０は、ユーザデータの転送に使用され得る。ユーザプレーン通信チャネル上のユーザプレーン通信は、例えば、実施形態に導入されたユーザプレーンアドレスを活用する次世代モバイルネットワークの新しいコネクションレスレイヤ２に基づいて、ネットワークレイヤプロトコル、例えばインターネットプロトコル又はアプリケーション特有のプロトコルのパケットを交換することを可能とするユーザプレーンプロトコルに基づくことができる。この新しいレイヤ２のコンセプトの名称として、コネクションレストンネルプロトコル（ＣＬＴＰ）を使用する。
【００５３】
一般に、例えば移動通信システムは、第３世代パートナーシッププロジェクト（３ＧＰＰ）−標準移動通信ネットワークの１つに対応し得るものであり、ここで移動通信システムという用語は移動通信ネットワークと同義的に使用される。移動又はワイヤレス通信システムは例えば、第５世代システム（５Ｇ）、ロングタームエボリューション（ＬＴＥ）、ＬＴＥアドバンスト（ＬＴＥ−Ａ）、高速パケットアクセス（ＨＳＰＡ）、ユニバーサル移動体通信システム（ＵＭＴＳ）若しくはＵＭＴＳ地上無線アクセスネットワーク（ＵＴＲＡＮ）、エボルブドＵＴＲＡＮ（ｅ−ＵＴＲＡＮ）、世界移動体通信システム（ＧＳＭ）若しくはＧＳＭエボリューションのためのエンハンストデータレート（ＥＤＧＥ）ネットワーク、ＧＳＭ／ＥＤＧＥ無線アクセスネットワーク（ＧＥＲＡＮ）又は例えばマイクロ波アクセスのワールドワイド相互運用性（ＷＩＭＡＸ）ネットワークＩＥＥＥ８０２．１６若しくは無線ローカルエリアネットワーク（ＷＬＡＮ）ＩＥＥＥ８０２．１１、一般的には直交周波数分割多重接続（ＯＦＤＭＡ）ネットワーク、時分割多元接続（ＴＤＭＡ）ネットワーク、符号分割多元接続（ＣＤＭＡ）ネットワーク、広帯域ＣＤＭＡ（ＷＣＤＭＡ）ネットワーク、周波数分割多元接続（ＦＤＭＡ）ネットワーク、空間分割多元接続（ＳＤＭＡ）ネットワークなどの、異なる標準を伴う移動通信ネットワークに対応し得る。
【００５４】
少なくとも一つの移動通信システムインフラストラクチャエンティティ１００に対応し得る基地局送受信機は１以上の稼働中のモバイル送受信機と通信するように動作可能であり、基地局送受信機は他の基地局送受信機、例えばマイクロセル基地局送受信機又はスモールセル基地局送受信機のカバレッジエリア内に位置することもあり、又は近接することもある。したがって、実施形態は、１以上のモバイル送受信機及び１以上の基地局送受信機を備える移動通信システムを提供することができ、基地局送受信機はマクロセル又は例えばピコセル、メトロセル若しくはフェムトセルのようなスモールセルを確立することができる。モバイル送受信機は、スマートフォン、セルフォン、ユーザ機器、無線機器、モバイル、移動局、ラップトップ、ノートブック、パーソナルコンピュータ、携帯情報端末（ＰＤＡ）、ユニバーサルシリアルバス（ＵＳＢ）−スティック、車両、Ｄ２Ｄ通信用モバイルリレー送受信機などに対応し得る。また、モバイル送受信機を、ユーザ機器（ＵＥ）又は３ＧＰＰ専門用語に即してモバイルともいう。
【００５５】
基地局送受信機は、ネットワーク又はシステムの固定又は静止部に位置し得る。基地局送受信機は、リモート無線ヘッド、伝送ポイント、アクセスポイント、無線機器、マクロセル、スモールセル、マイクロセル、フェムトセル、メトロセルなどに対応し得る。基地局送受信機は、無線ベアラ、又は端末／モバイル送受信機と無線アクセスネットワークとの間の無線インターフェースを介した接続を終端するノード／エンティティの論理的コンセプトとして理解される基地局に対応し得る。基地局送受信機は、有線ネットワークのワイヤレスインターフェースであってもよく、無線信号をＵＥ又はモバイル送受信機に送信することを可能とする。そのような無線信号は、例えば３ＧＰＰによって標準化された、又は、一般に、上記に列挙したシステムの１以上に即した無線信号に準拠し得る。それゆえ、基地局送受信機は、ＮｏｄｅＢ、ｅＮｏｄｅＢ、基地局（ＢＴＳ）、アクセスポイント、リモート無線ヘッド、伝送ポイント、リレー送受信機などに対応し、さらに遠隔ユニットと中央ユニットとに細分化され得る。
【００５６】
モバイル送受信機、例えば少なくとも１つのモバイル送受信機２００は、基地局送受信機又はセルに対して関連付けられ、キャンプオンされ、又は登録されることができる。セルという用語は、例えばＮｏｄｅＢ、ｅＮｏｄｅＢ、リモート無線ヘッド、伝送ポイントなどの基地局送受信機によって提供される無線サービスのカバレッジエリアを指す。基地局送受信機は、１以上の周波数レイヤの１以上のセルを動作させ、ある実施形態では、セルはセクタに対応し得る。例えば、セクタは、セクタアンテナを使用して実現され、セクタアンテナは、遠隔ユニット又は基地局送受信機の周囲の角部をカバーする特性を提供し得る。ある実施形態では、基地局送受信機は、例えば、３個又は６個のセルを動作させ、それぞれ１２０度（３個のセルの場合）、６０度（６個のセルの場合）をカバーできる。基地局送受信機は、複数のセクタ化されたアンテナを動作させ得る。以下では、セルはそのセルを生成する関連の基地局送受信機を意味していてもよいし、又は同様に基地局送受信機は基地局送受信機が生成するセルを意味していてもよい。
【００５７】
また、少なくともある実施形態は、ユーザプレーンページング、例えばユーザプレーンアドレスに由来する制御プレーンに基づいたページングを提供し、それは（例えばＭＭＥの）制御プレーンノードを伴わずに実行され得る。従来の移動通信システムでは、ユーザプレーンではアドレス設定のコンセプトが異なるので、制御プレーンページング手順は直接使用可能でないこともある。実施形態は、ユーザプレーンアドレスと制御プレーンアドレスとの間の変換を提供することができ、それは、そのようなユーザプレーンページングを可能とし得る。図３に、少なくとも１つのモバイル送受信機２００に対応するユーザ機器（ＵＥ）３０００ａと、双方とも少なくとも１つの移動通信システムインフラストラクチャエンティティ１００に対応し得る基地局送受信機（ＢＳ）３０００ｂ及びゲートウェイ（ＧＷ）３０００ｃとの間のユーザプレーンページングの例示の実施形態を示す。
【００５８】
例示の実施形態では、ＧＷ３０００ｃは、ＣＬＴＰデータ送波３００２を送信し、図３におけるＣＬＴＰの後のＡはアクセスを略している。ＣＬＴＰデータ送波３００２は、ユーザプレーンアドレス及びＢＳ３０００ｂへのＩＰデータパケットを備える。図３の例示の実施形態のユーザプレーンアドレスは、アクセス宛先アドレスａＤＳＴ及び制御プレーンアドレスＳ−ＴＭＳＩを備える。ＣＬＴＰはレイヤ２プロトコルであるため、ａＤＳＴ及びＳ−ＴＭＳＩの双方はレイヤ２アドレスである。前述のように、本発明の実施形態では、制御プレーンアドレス及びユーザプレーンアドレスは、相互に機能的関係を有する。ＢＳ３０００ｂは、関連する制御プレーンアドレスＳ−ＴＭＳＩを計算する。例えば、ＢＳ３０００ｂは、ユーザプレーンアドレスの最初の８ビットを削除して制御プレーンアドレスＳ−ＴＭＳＩを得ることができる。Ｓ−ＴＭＳＩは、ページングに使用され得る。ＢＳ３０００ｂは、１つ又は任意に複数のＣＬＴＰページング送波３００４を送信し、Ｓ−ＴＭＳＩ及び無線ネットワーク一時識別子（ＲＮＴＩ）を使用する。ＢＳ３０００ｂは、複数のページング送波３００４を任意に送信し、間欠受信（ＤＲＸ）及び関連するエネルギー節約の効果をサポートし得る。ＵＥ３０００ａはＢＳ３０００ｂにＳ−ＴＭＳＩ及びＲＮＴＩを使用してＣＬＴＰ関連送波３００６を返し、ＢＳ３０００ｂはＲＮＴＩに基づいてスケジュールされた送波としてデータ送波３００２をＣＬＴＰデータ送波３００８として送信する。ＵＳ３０００ａがセルを離れた場合、ＣＬＴＰデータ送波３０１２に基づいたＣＬＴＰページング送波３０１４はＣＬＴＰ関連送波を返さず、ＢＳ３０００ｂが失敗したＳ−ＴＭＳＩアドレス及びＩＰパッケージを備えるＣＬＴＰパスエラー送波３０１６を返す。実施形態は、４Ｇで必要とされるようなＭＭＥを伴わずにページングを可能とし得る。したがって、実施形態は、ユーザプレーンページング又はコネクションレスベアラページングをサポートできる。
【００５９】
図４に、移動通信システム３００の移動通信システムインフラストラクチャエンティティ１００における少なくとも１つのモバイル送受信機２００の制御プレーンアドレスを特定する方法の実施形態のフローチャートを示す。移動通信システムインフラストラクチャエンティティ１００は、ユーザプレーン通信チャネル３２０を介して少なくとも１つのモバイル送受信機２００と通信するように構成される。モバイル送受信機２００は、制御プレーン通信チャネル３１０を介して制御される。少なくともある実施形態では、移動通信システムインフラストラクチャエンティティ１００の少なくとも１つのインフラストラクチャエンティティは、制御プレーン通信チャネルを介してモバイル送受信機２００を制御し、又はモバイル送受信機２００と制御情報を交換するように構成され得る。
【００６０】
方法は、少なくとも１つのモバイル送受信機２００のユーザプレーンアドレスを取得するステップ２２を備える。取得するステップ２２は、例えば、ユーザプレーンアドレスを備える送波、サービスリクエスト又はデータバケットを受信することに対応し得る。
【００６１】
方法は、ユーザプレーンアドレスの別個な変換に基づいた少なくとも１つのモバイル送受信機２００の制御プレーンアドレスを特定するステップ２４をさらに備える。特定するステップ２４は、前述の特定するステップ１４と類似し、例えば特定するステップ１４の変換の逆に基づき得る。
【００６２】
少なくともある実施形態では、図４ａに示すように、ユーザプレーンアドレスは、サービスリクエストにおいて構成され得る。サービスリクエスト２４は、例えば、データパケット、呼、ショートメッセージサービス（ＳＭＳ）、制御プレーン構成アップデート及び通知のグループの少なくとも１つの要素に対応し得る。
【００６３】
方法は、制御プレーンアドレスに基づいて少なくとも１つのモバイル送受信機２００をページングするステップ２６をさらに備え得る。ページングするステップ２６は、少なくとも１つのモバイル送受信機２００に、移動通信システムインフラストラクチャエンティティ１００の少なくとも１つに対応し得る基地局送受信機に能動的に関連するようにリクエストを通知することに対応し得る。ページングするステップ２６は、ページング制御チャネル上のページングメッセージを送信するステップを備え得る。例えばモバイル送受信機２００が制御プレーン通信チャネルに対応するページング制御チャネル上で自身の制御プレーンアドレスを検出する場合、モバイル送受信機はページングするステップ２６が実行されたユーザデータ、例えばサービスリクエストを受信するように基地局送受信機と（再度）関連する。少なくともある実施形態では、ページングするステップ２６は、例えば少なくとも１つのモバイル送受信機２００の最新の既知の位置に基づいて、基地局送受信機からのページングメッセージを送信するステップ及び／又はページングリクエストを複数の基地局送受信機の間に拡散するステップに対応し得る。
【００６４】
方法は、サービスリクエストの宛先を取得するステップ２８をさらに備え得る。種々の実施形態では、宛先は、少なくとも１つのモバイル送受信機２００の基地局送受信機２００との（再度の）関連、例えばＣＬＴＰ関連送波３００６に基づき得る。取得するステップ２８は、ＣＬＴＰ関連送波を取得するステップに対応していてもよいし、又は少なくとも１つのモバイル送受信機２００の存在若しくは関連を示す通知を基地局送受信機から取得するステップに対応していてもよい。少なくともある実施形態では、少なくとも１つのモバイル送受信機２００がページング中にクエリされるセルから離れた場合、宛先の代わりにパスエラーがもたらされることがある。
【００６５】
方法は、少なくとも１つのモバイル送受信機２００へのサービスリクエストを提供するステップ３０をさらに備え得る。提供するステップ３０は、例えば、少なくとも１つのモバイル送受信機２００へのサービスリクエストを送信するステップに対応し得る。
【００６６】
種々の実施形態では、特定するステップ２４は、可逆的、全単射的及び／又はローカルな変換に基づき得る。ユーザプレーンアドレスは、制御プレーンアドレスの可逆的な変換に基づき得る。少なくともある実施形態では、変換は、接辞及び制御プレーンアドレスの少なくとも一部を使用するステップを備える。少なくともある実施形態では、変換は、制御プレーンアドレスの少なくとも一部から接辞を削除して制御プレーンアドレスを特定すること２４ができる。制御プレーンアドレスは、一時的移動加入者識別番号ＴＭＳＩ、システムアーキテクチャエボリューション一時的移動加入者識別番号Ｓ−ＴＭＳＩ、国際移動体加入者識別番号ＩＭＳＩ及びグローバル一意一時識別子ＧＵＴＩのグループの少なくとも１つの要素に対応し得る。接辞は、固定されたビットシーケンスを備え得る。接辞は、少なくとも１つの移動通信システムインフラストラクチャエンティティに関係し得る。
【００６７】
方法の更なる詳細及び態様（例えば、制御プレーンアドレス、ユーザプレーンアドレス、少なくとも１つのモバイル送受信機、移動通信システムインフラストラクチャエンティティ１００、移動通信システム３００、制御プレーン通信チャネル３１０、ユーザプレーン通信チャネル３２０、変換、別個の変換、ローカルな変換、接辞）は、提案されたコンセプト又は上記の１以上の例（例えば図１から３）との関連において言及される。方法は、提案されたコンセプトの１以上、又は１以上の上記若しくは下記の例に対応する１以上の追加の選択的な構成を備え得る。
【００６８】
他の例示の実施形態では、図５に示すように、ＮｏｄｅＢとゲートウェイの間の追加のユーザプレーンノードが使用され得る。実施形態はユーザプレーン−制御プレーンブリッジングを可能とするので、全てのノードはページングをトリガすることができる。これは、制御プレーン（ＭＭＥ）との永続的なＵＥ−固有接続を有するノード（Ｓ−ＧＷ）のみがページングをトリガする４Ｇとは対照的である。図５に、パケットゲートウェイ（Ｐ−ＧＷ）５００４を備える少なくとも１つの移動通信システムインフラストラクチャエンティティ１００を示し、外部ネットワーク５００２、Ｓ−ＧＷ５００６、ＲＡＮ  ＵＰ−アンカ５００８、ｅＮＢ５０１０及び移動管理コントローラ５０１４に接続される。ｅＮＢ５０１０は、ＵＥ５０１２に対してセルを供給し、モバイル送受信機２００の少なくとも１つに対応し得る。例示の実施形態では、ユーザ固有の構成なしに、全てのユーザプレーンノード（５００４、５００６、５００８、５０１０、５０１２）は、ユーザプレーンアドレスの変換に基づいて特定された制御プレーンアドレスによってＵＥ５０１２を参照して制御プレーンノード（５０１４、５００６）と相互作用することができる。（１）５０１４において、パケットは、有効な転送エントリなしにＵＥに到着する。少なくとも１つの移動通信システムインフラストラクチャエンティティ１００は、パケットにおいて構成されたユーザプレーンアドレスに基づいて制御プレーンアドレスを特定する。（２）５０１６において、少なくとも１つの移動通信システムインフラストラクチャエンティティ１００は、制御プレーンアドレス（例えばＵＥ５０１２Ｓ−ＴＭＳＩ）に基づいてページングを要求する。そしてこれにより、ＵＥ登録エリア内のセルを有するｅＮＢ５０１０への制御プレーンページングリクエスト（３）５０１８がもたらされる。
【００６９】
図６に、移動通信システム３００において少なくとも１つのモバイル送受信機２００についてユーザプレーンアドレスを特定する装置４０の実施形態のブロック図を示す。移動通信システム３００は、少なくとも１つの移動通信システムインフラストラクチャエンティティ１００をさらに備え、ユーザプレーン通信チャネル３２０を介してモバイル送受信機２００の少なくとも１つと通信するように構成される。モバイル送受信機２００は、コントロールプレーン通信チャネル３１０を介して制御される。
【００７０】
装置４０は、モバイル送受信機２００の少なくとも１つに対する制御プレーンアドレスを取得するように構成された入力インターフェース４２を備える。入力部、例えば入力インターフェース４２は、特有のコード、モジュール内、モジュール間又は異なるエンティティのモジュール間によるデジタル（ビット）値となり得る情報を受信するインターフェースに対応し得る。
【００７１】
装置４０は、少なくとも１つのモバイル送受信機２００に対して制御プレーンアドレスの別個の変換に基づいてユーザプレーンアドレスを特定するように構成された制御モジュール４４をさらに備える。実施形態では、制御モジュール４４は、１以上の処理ユニット、１以上の処理デバイス、プロセッサ、コンピュータ又は適合するソフトウェアによって動作可能であるプログラム可能なハードウェアコンポーネントなどの任意の処理手段を使用して実現され得る。言い換えると、説明した制御モジュール４４の機能は、ソフトウェアでも実現され、そして１以上のプログラム可能なハードウェアコンポーネント上で実行される。そのようなハードウェアコンポーネントは、汎用プロセッサ、デジタル信号プロセッサ（ＤＳＰ）、マイクロコントローラなどを備え得る。
【００７２】
また、装置は、出力インターフェース４６を備え、ユーザプレーンアドレスを提供するように構成される。出力部、例えば出力インターフェース４６は、特有のコード若しくはプロトコル、モジュール内、モジュール間又は異なるエンティティのモジュール間によるデジタル（ビット）値となり得る情報を送信するインターフェースに対応し得る。
【００７３】
装置４０の更なる詳細及び態様（例えば、制御プレーンアドレス、ユーザプレーンアドレス、少なくとも１つのモバイル送受信機、移動通信システムインフラストラクチャエンティティ１００、移動通信システム３００、制御プレーン通信チャネル３１０、ユーザプレーン通信チャネル３２０、変換、別個の変換、ローカルな変換、接辞）は、提案されたコンセプト又は上記の１以上の例（例えば図１から５）との関係において言及される。装置４０は、提案されたコンセプトの１以上の態様又は上記若しくは下記の１以上の例に対応する１以上の追加の選択的特徴を備え得る。
【００７４】
図７に、移動通信システム３００の移動通信システムインフラストラクチャエンティティ１００において少なくとも１つのモバイル送受信機２００に対する制御プレーンアドレスを特定する装置５０の実施形態のブロック図を示す。移動通信システムインフラストラクチャエンティティ１００は、ユーザプレーン通信チャネル３２０を介して少なくとも１つのモバイル送受信機２００と通信するように構成される。モバイル送受信機２００は、制御プレーン通信チャネル３１０を介して制御される。
【００７５】
装置５０は、モバイル送受信機２００の少なくとも１つのユーザプレーンアドレスを取得するように構成された入力インターフェース５２を備える。入力部、例えば入力インターフェース５２は、特有のコード、モジュール内、モジュール間又は異なるエンティティのモジュール間によるデジタル（ビット）値となり得る情報を受信するインターフェースに対応し得る。種々の実施形態では、入力インターフェース５２は、少なくとも１つのモバイル送受信機２００との通信のための無線アクセスネットワークインターフェースに対応していてもよいし、又はそれを備えていてもよい。
【００７６】
装置５０は、ユーザプレーンアドレスの別個の変換に基づいてモバイル送受信機２００の少なくとも１つの制御プレーンアドレスを特定するように構成された制御モジュール５４をさらに備える。実施形態では、制御モジュール５４は、１以上の処理ユニット、１以上の処理デバイス、プロセッサ、コンピュータ又は適合するソフトウェアによって動作可能であるプログラム可能なハードウェアコンポーネントなどの任意の処理手段を用いて実現され得る。言い換えると、説明した制御モジュール５４の機能は、ソフトウェアでも実現され、そして１以上のプログラム可能なハードウェアコンポーネント上で実行される。そのようなハードウェアコンポーネントは、汎用プロセッサ、デジタル信号プロセッサ（ＤＳＰ）、マイクロコントローラなどを備え得る。
【００７７】
少なくともある実施形態では、装置５０は、点線で示すように、追加の出力インターフェース５６をさらに備え得る。出力部、例えば出力インターフェース５６は、特有のコード若しくはプロトコル、モジュール内、モジュール間又は異なるエンティティのモジュール間によるデジタル（ビット）値となり得る情報を送信するインターフェースに対応し得る。ユーザプレーンアドレスは、サービスリクエストにおいて構成され得る。種々の実施形態では、出力インターフェース５６は、少なくとも１つのモバイル送受信機２００と通信する無線アクセスネットワークインターフェースに対応していてもよいし、又はそれを備えていてもよい。
【００７８】
制御モジュール５４はさらに、少なくとも１つのモバイル送受信機２００を制御プレーンアドレスに基づいて出力インターフェース５６を介してページングして、サービスリクエストの宛先を例えば入力インターフェース５２を介して取得するように２８構成され得る。制御モジュール５４はさらに、少なくとも１つのモバイル送受信機２００に出力インターフェース５８を介してサービスリクエストを提供するように構成され得る。
【００７９】
装置５０の更なる詳細と態様（例えば、制御プレーンアドレス、ユーザプレーンアドレス、少なくとも１つのモバイル送受信機、移動通信システムインフラストラクチャエンティティ１００、移動通信システム３００、制御プレーン通信チャネル３１０、ユーザプレーン通信チャネル３２０、変換、別個の変換、ローカルな変換、接辞）は、提案されたコンセプト又は上記の１以上の例（例えば図１から６）との関連において言及される。装置５０は、提案されたコンセプトの１以上の態様又は上記若しくは下記の１以上の例に対応する１以上の追加の選択的構成を備え得る。
【００８０】
実施形態は、少なくとも１つの移動通信システムインフラストラクチャエンティティ１００及びユーザプレーン通信チャネル３２０を使用して通信するモバイル送受信機２００を備え、モバイル送受信機２００は制御プレーン通信チャネル３１０を使用して制御され、移動通信システム３００は上記の装置４０及び／又は装置５０をさらに備える。実施形態は、上記の装置４０及び／又は装置５０を備えるモバイル送受信機２００をさらに提供する。実施形態は、上記の装置４０及び／又は装置５０を備える少なくとも１つの移動通信システムインフラストラクチャエンティティ１００をさらに提供する。
【００８１】
ある実施形態は、方法を実施する装置内に設置されたデジタル制御回路を備える。そのようなデジタル制御回路、例えばデジタル信号プロセッサ（ＤＳＰ）は、それに応じてプログラムされる必要がある。したがって、さらに別の実施形態は、コンピュータプログラムがコンピュータ、デジタルプロセッサ、又はプログラム可能なハードウェアコンポーネント上で実行される場合に、方法の実施形態を実行するプログラムコードを有するコンピュータプログラムも提供する。更なる実施形態は、コンピュータ、プロセッサ、又はプログラム可能なハードウェアコンポーネントによって実行されると、ここに記載された方法の１つをコンピュータに実現させる命令を記憶したコンピュータ可読記憶媒体である。
【００８２】
当業者は、上述した種々の方法のステップがプログラムされたコンピュータによって実行されることを容易に認識するはずである。ここで、ある実施形態は、プログラム記憶デバイス、例えばデジタルデータ記憶媒体を含むこともまた意図しており、それは、機械又はコンピュータ読取り可能で、機械実行可能又はコンピュータ実行可能な命令のプログラムを符号化し、当該命令は、ここに記載された方法の一部又は全部のステップを実行する。プログラム記憶デバイスは、例えば、デジタルメモリ、磁気ディスク及び磁気テープなどの磁気記録媒体、ハードドライブ又は光学読取可能デジタルデータ記録媒体であり得る。実施形態はまた、ここに記載された方法の当該ステップを実行するようにプログラムされたコンピュータ、又は上に記載された方法の当該ステップを実行するようにプログラムされたプログラム可能な（フィールド）ロジックアレイ（（Ｆ）ＰＬＡ）若しくはプログラム可能な（フィールド）ゲートアレイ（（Ｆ）ＰＧＡ）も含むことを意図している。
【００８３】
説明及び図面は、単に本発明の原理を示すものである。したがって、当業者は、ここに明示的に記載又は図示されないが、本発明の原理を具体化してその精神及び範囲内に含まれる種々の構成を考案できるであろうことが理解されるはずである。さらに、ここで示された全ての例は、主として、当該技術を推進するために発明者（達）によって貢献された発明の原理及び概念を読者が理解することを助けるための教育目的を意図したものであり、そのような具体的に示された例及び条件に限定されるものではないと解釈されるべきである。また、本発明の原理、態様及び実施形態を表現するここに示される全ての記載は、その具体例と同様に、その均等物を含むことが意図されている。
【００８４】
「・・・のための手段」（特定の機能を実行する）と示される機能ブロックは、それぞれ特定の機能を実行するように又は実行するために適合された回路を備える機能ブロックとして理解されるべきである。したがって、「何かのための手段」も同様に「何かのために適合し、又は何かに適した手段」と理解される。したがって、ある特定の機能を実行するように適合された手段は、そのような手段が必ず（所与の時点で）当該機能を実行していることを意味するものではない。
【００８５】
図に示された種々の要素の機能は、「手段」、「制御する手段」、「送信する手段」、「受信する手段」、「送受信する手段」、「処理する手段」などと付された任意の機能ブロックを含めて、「コントローラ」、「送信機」、「受信機」、「送受信機」、「プロセッサ」などの専用ハードウェア及び適切なソフトウェアに関連してソフトウェアを実行することが可能なハードウェアの使用を通じて提供され得る。また、ここに「手段」として記載される任意のエンティティは、「１以上のモジュール」、「１以上のデバイス」、「１以上のユニット」などに対応し、又はそれらとして実現される。プロセッサにより提供される場合、その機能は、一台の専用プロセッサ、一台の共用プロセッサ、又は一部が共有され得る複数の独立プロセッサによって提供され得る。さらに、用語「プロセッサ」又は「コントローラ」の明示的な使用は、ソフトウェアを実行可能なハードウェアを限定的に指すものとして解釈されるべきでなく、デジタル信号プロセッサ（ＤＳＰ）ハードウェア、ネットワークプロセッサ、特定用途向け集積回路（ＡＳＩＣ）、フィールドプログラム可能ゲートアレイ（ＦＰＧＡ）、ソフトウェアを記憶する読出し専用メモリ（ＲＯＭ）、ランダムアクセスメモリ（ＲＡＭ）及び不揮発性ストレージを、限定なく暗に含み得る。他のハードウェア、従来型又はカスタム型も同様に含まれ得る。それらの機能は、プログラムロジックの動作を通して、専用ロジックを通して、プログラム制御及び専用ロジックの相互作用を通して、又は手動でも、文脈からより具体的に理解されるように実施者によって選択可能な特定の技術によって実行され得る。
【００８６】
ここにおける任意のブロック図は、本発明の原理を具体化する説明的な回路の概念図を表すことを当業者は理解すべきである。同様に、任意のフローチャート、フロー図、状態変化図、疑似コードなどは、そのようなコンピュータ又はプロセッサが明示的に示されているか否かに関わらず、コンピュータ可読媒体に実質的に表されてコンピュータ又はプロセッサに実行され得る種々のプロセスを表現するものと理解されるべきである。
【００８７】
さらに、以下の特許請求の範囲は、ここの発明の詳細な説明に組み込まれ、そこでは各請求項が個別の実施形態としてそれ自身で存在する。各請求項は、個別の実施形態としてそれ自身で存在し得ると同時に、従属請求項は請求項の１以上の他の請求項の特有な組合せを参照することができるが、他の実施形態は従属請求項の組合せもそれぞれの従属請求項の主題と共に含み得ることに留意すべきである。そのような組合せは、特定の組合せを意図しないことが明示されない限りここに提案される。さらに、この請求項は直接的に独立請求項に従属しないとしても、請求項の特徴もまた任意の他の独立請求項に含まれることが意図される。
【００８８】
さらに、本明細書又は特許請求の範囲において開示された方法は、これらの方法のそれぞれ各自のステップを実行する手段を有するデバイスによって実現され得ることに留意すべきである。
【図１】
2018532308.tif 000003
【図１ａ】
2018532308.tif 000004
【図２】
2018532308.tif 000005
【図２ａ】
2018532308.tif 000006
【図３】
2018532308.tif 000007
【図４】
2018532308.tif 000008
【図４ａ】
2018532308.tif 000009
【図５】
2018532308.tif 000010
【図６】
2018532308.tif 000011
【図７】
2018532308.tif 000012
【国際調査報告】
2018532308.tif 000013
2018532308.tif 000014
2018532308.tif 000015